(57)【要約】【課題】熟練や高い技量を要することなく、容易に能率よくかご枠のねじれを修正することができるエレベータかご枠の修正装置を提供する。【解決手段】左右に配置する立枠２４ａ，２４ｂ，２５ａ，２５ｂ、およびその左右の立枠２４ａ，２４ｂ，２５ａ，２５ｂ間に水平に架設された横梁２６ａ，２６ｂとを備えるかご枠２１と、前記横梁２６ａ，２６ｂに設けられたブラケット４０、およびそのブラケット４０と前記立枠２４ａ，２４ｂ，２５ａ，２５ｂとの間に設けられた調整ボルト４１とを備え、前記かご枠２１に上下部間にねじれが生じているときに、前記調整ボルト４１の調整でそのねじれの方向と逆方向の修正荷重をかご枠２１に加えることが可能なねじれ修正機構３８とを具備する。【選択図】    図４
2004161421.tif 000002
【特許請求の範囲】
【請求項１】
左右に配置する立枠、およびその左右の立枠間に水平に架設された横梁とを備えるかご枠と、
前記横梁に設けられたブラケット、およびそのブラケットと前記立枠との間に設けられた調整ボルトとを備え、前記かご枠にその上下部間で水平方向のねじれが生じているときに、前記調整ボルトの調整でそのねじれの方向と逆方向の修正荷重をかご枠に加えることが可能なねじれ修正機構と、
を具備することを特徴とするエレベータかご枠のねじれ修正装置。
【請求項２】
前記ブラケットが前記横梁に着脱可能に設けられていることを特徴とする請求項１に記載のエレベータかご枠のねじれ修正装置。
【請求項３】
前記かご枠はその上部と中間部と下部とに横梁を有し、その各横梁に前記ブラケットが設けられていることを特徴とする請求項１または２に記載のエレベータかご枠のねじれ修正装置。
【請求項４】
左右に配置する立枠、およびその左右の立枠間に水平に架設された横梁とを備えるかご枠と、
前記横梁と前記立枠との間に設けられた油圧ジャッキを備え、前記かご枠にその上下部間で水平方向のねじれが生じているときに、前記油圧ジャッキでそのねじれの方向と逆方向の修正荷重をかご枠に加えることが可能なねじれ修正機構と、
を具備することを特徴とするエレベータかご枠のねじれ修正装置。
【発明の詳細な説明】
【０００１】
【発明の属する技術分野】
この発明は、例えばダブルデッキ式のエレベータかご枠のねじれを修正するエレベータかご枠のねじれ修正装置に関する。
【０００２】
【従来の技術】
近年、乗客の搬送効率を高めるためにダブルデッキ式のエレベータが設置されるようになってきている。ダブルデッキ式のエレベータは、一つのかご枠内に二つのかご室を上下に並べて一体化したかごユニットを備え、このかごユニットが昇降路内を昇降するようになっている。
【０００３】
図８には、ダブルデッキ式のエレベータの構成を示してあり、建物の昇降路１内には、一対のガイドレール２が互いに対向して垂直に設けられ、これらガイドレール２間に吊りロープ３により吊られたかごユニット４が昇降自在に設けられている。
【０００４】
かごユニット４は、かご枠８と、このかご枠８内に上下に並ぶように設置された一対のかご室９とを備え、かご枠８は立枠１０およびその立枠１０の上部と下部に設けらた横梁１１，１２とで構成されている。そしてかご枠８の上下部にガイドレール２に係合する案内装置１５が設けられている。
【０００５】
このようなダブルデッキ式のエレベータの立枠１０は、通常一般のシングルデッキ式のエレベータの立枠に比べてその長さが２倍ないしそれ以上となる。これに伴い、立枠１０として剛性の高い材料を用いたとしても、かご枠８の上下部間において、水平方向のねじれによるたわみが生じてしまうことがある。
【０００６】
そしてそのたわみにより、図９に示すように、一対のガイドレール２間を結ぶ水平方向のレール間中心線Ｌ１と、かご枠８の長手方向中心線Ｌ２とがずれてしまう。
【０００７】
このようなずれが生じると、かご枠８の横梁１１，１２に設置される用品、例えば非常時にガイドレール２と係合してかごユニット４を停止させる安全装置のガイドレール２に対するクリアランスを調整することが必要となったり、あるいは、かご枠８自体のねじれを修正するか、用品の取付穴等でそのねじれ分を吸収する必要が生じる。
【０００８】
【発明が解決しようとする課題】
従来、かご枠８のねじれを修正する際には、角材等によりかご枠８をこじって修正する方法が採られているが、特にダブルデッキ式のエレベータのように立枠１０の長さが長く、またかご枠８内に二つのかご室９が設置されているかご枠８にあってはそのねじれの修正が相当困難となっている。
【０００９】
そして、角材等を用いる修正方法では、熟練や技量が要求され、また能率も悪く、作業上の危険もある。
【００１０】
一方、用品単位での調整しろを大きくすると、取付穴に余裕ができることで設置後にその調整しろによる用品の移動が起こり、動作不良等の不具合を招く恐れがある。したがって用品での調整しろは最小限にとどめるべきである。
【００１１】
この発明はこのような点に着目してなされたもので、その目的とするところは、特に熟練や高い技量を要することなく、容易に能率よくかご枠のねじれを修正することができるエレベータかご枠の修正装置を提供することにある。
【００１２】
【課題を解決するための手段】
請求項１の発明は、左右に配置する立枠、およびその左右の立枠間に水平に架設された横梁とを備えるかご枠と、前記横梁に設けられたブラケット、およびそのブラケットと前記立枠との間に設けられた調整ボルトとを備え、前記かご枠にその上下部間で水平方向のねじれが生じているときに、前記調整ボルトの調整でそのねじれの方向と逆方向の修正荷重をかご枠に加えることが可能なねじれ修正機構とを具備することを特徴としている。
【００１３】
請求項２の発明は、前記ブラケットが前記横梁に着脱可能に設けられていることを特徴としている。
【００１４】
請求項３の発明は、前記かご枠がその上部と中間部と下部とに横梁を有し、その各横梁に前記ブラケットが設けられていることを特徴としている。
【００１５】
請求項４の発明は、左右に配置する立枠、およびその左右の立枠間に水平に架設された横梁とを備えるかご枠と、前記横梁と前記立枠との間に設けられた油圧ジャッキを備え、前記かご枠にその上下部間で水平方向のねじれが生じているときに、前記油圧ジャッキでそのねじれの方向と逆方向の修正荷重をかご枠に加えることが可能なねじれ修正機構とを具備することを特徴としている。
【００１６】
【発明の実施の形態】
以下、この発明の実施形態について図１ないし図７を参照して説明する。
【００１７】
図１にはダブルデッキ式エレベータのかごユニット２０を示してあり、このかごユニット２０はかご枠２１およびこのかご枠２１内に上下に並ぶように設置された一対のかご室２２とを備えている。
【００１８】
かご枠２１は、左右に２本ずつ配置する垂直な立枠２４ａ，２４ｂ，２５ａ，２５ｂと、その左右の立枠２４ａ，２４ｂ，２５ａ，２５ｂの相互間の上部、中間部、下部のそれぞれの位置に水平に架設された横梁２６ａ，２６ｂ，２７ａ，２７ｂ，２８ａ，２８ｂとを備えている。
【００１９】
上部の横梁２６ａ，２６ｂ、中間部の横梁２７ａ，２７ｂ、下部の横梁２８ａ，２８ｂはそれぞれ互いに対向するように配置されている。そして上部の横梁２６ａ，２６ｂの両端部間はプレート３０を介して連結され、また下部の横梁２８ａ，２８ｂの両端部間はプレート３１を介して連結されている。
【００２０】
前記プレート３０にはそれぞれねじ軸３３が取り付けられ、これらねじ軸３３を介して前記かご室２２が支持されている。
【００２１】
図２に示すように、かご枠２１の上部の横梁２６ａ（２６ｂ）は、立枠２４ａ（２４ｂ），２５ａ（２５ｂ）にそれぞれボルト・ナットからなる複数の締結具３６を介して締結されている。そして各立枠２４ａ（２４ｂ），２５ａ（２５ｂ）と横梁２６ａ（２６ｂ）との間にそれぞれねじれ修正機構３８が設けられている。
【００２２】
ねじれ修正機構３８は、図２および図３に示すように、横梁２６ａ（２６ｂ）に取り付けられたブラケット４０と、そのブラケット４０と立枠２４ａ（２４ｂ），２５ａ（２５ｂ）との間に設けられた調整ボルト４１とを備えている。
【００２３】
ブラケット４０は受け壁４０ａおよび一対の補強壁４０ｂを有するほぼコ字状をなし、横梁２６ａ（２６ｂ）の表面からその外方に突出するように横梁２６ａ（２６ｂ）に取り付けられている。
【００２４】
立枠２４ａ（２４ｂ），２５ａ（２５ｂ）は、両側縁に側壁４３を有する断面コ字状をなし、前記調整ボルト４１はその立枠２４ａ（２４ｂ），２５ａ（２５ｂ）の一方の側壁４３と前記ブラケット４０の受け壁４０ａとを貫通するようにその側壁４３と受け壁４０ａとの間に設けられている。
【００２５】
前記調整ボルト４１には三つのナット４５，４６，４７が螺着され、そのうちの一つのナット４５と調整ボルト４１の頭部４１ａとでブラケット４０の受け壁４０ａが挾着され、残りの二つのナット４６，４７で立枠２４ａ（２４ｂ），２５ａ（２５ｂ）の側壁４３が挾着されている。
【００２６】
このようなねじれ修正機構３８は、かご枠２１の上部の横梁２６ａ（２６ｂ）の両端部に設けられているとともに、さらに図１に示すようにかご枠２１の中間部の横梁２７ａ，２７ｂの両端部、およびかご枠２１の下部の横梁２８ａ，２８ｂの両端部にも同様に設けられている。
【００２７】
なお、図２に示す５０は、横梁２６ａ（２６ｂ）の中間部下側に設けられたヒッチプレート、５１は各立枠２４ａ（２４ｂ），２５ａ（２５ｂ）の内側に設けられたブラケットである。
【００２８】
次に作用について説明する。
図４に示すように、昇降路１内のガイドレール２に対してかご枠２１を据え付ける際に、そのかご枠２１の上下部間での水平方向のねじれにより、一対のガイドレール２間を結ぶ水平方向のレール間中心線Ｌ１に対してかご枠２１の上部の長手方向の中心線Ｌ２がずれる場合がある。図４の状態では、かご枠２１はその上下部間において、かご枠２１の垂直中心軸Ｏを中心とする水平時計回り方向にθの角度だけねじれが生じている。
【００２９】
このような場合には、まず、立枠２４ａ，２４ｂ，２５ａ，２５ｂと上部の横梁２６ａ，２６ｂとを締結している各締結具３６を適度に緩める。
【００３０】
そしてこの状態のもとで、各ねじれ修正機構３８における調整ボルト４１を操作してかご枠２１に前記ねじれの方向と逆方向の修正荷重を加える。
【００３１】
すなわち、図４におけるＡ部においては、ブラケット４０と立枠２５ａとの間隔が縮まるように調整ボルト４１を操作して横梁２６ａに図に示す白抜き矢印方向の力を加え、Ｂ部においては、ブラケット４０と立枠２４ａとの間隔が広がるように調整ボルト４１を操作して横梁２６ａにＡ部と同じ方向の白抜き矢印方向の力を加え、Ｃ部においては、ブラケット４０と立枠２５ｂとの間隔が広がるように調整ボルト４１を操作して横梁２６ｂにＡ部とは逆方向の白抜き矢印方向の力を加え、Ｄ部においては、ブラケット４０と立枠２４ｂとの間隔が縮まるように調整ボルト４１を操作して横梁２６ｂにＡ部とは逆方向の白抜き矢印方向の力を加える。
【００３２】
このように、各ねじれ修正機構３８における調整ボルト４１を操作して横梁２６ａ，２６ｂに力を加えると、Ａ，Ｂ，Ｃ，Ｄの各部に図４に実線矢印で示すモーメントが生じ、これらのモーメントでかご枠２１にねじれの方向と逆方向の修正荷重が加わる。したがって、その修正荷重を調整することにより、かご枠２１のねじれを修正して、レール間中心線Ｌ１と、かご枠２１の上部の長手方向中心線Ｌ２とを一致させることができる。
【００３３】
かご枠２１のねじれを修正した後には、各締結具３６を締め付けて横梁２６ａ，２６ｂを立枠２４ａ，２４ｂ，２５ａ，２５ｂに強固に締結する。
【００３４】
なお、このようなかご枠２１のねじれの修正は、かご枠２１の中間部の横梁２７ａ，２７ｂに設けられたねじれ修正機構３８、あるいはかご枠２１の下部の横梁２８ａ，２８ｂに設けられたねじれ修正機構３８を操作することにより実施することも可能である。
【００３５】
また、ねじれ修正機構３８の調整ボルト４１を支持するブラケット４０は、横梁２６ａ，２６ｂ，２７ａ，２７ｂ，２８ａ，２８ｂに着脱可能に取り付け、ねじりの修正作業が終了した後に、横梁２６ａ，２６ｂ，２７ａ，２７ｂ，２８ａ，２８ｂから取り外して再利用をすることができるように構成することも可能である。
【００３６】
さらに、この発明は、調整ボルト４１を備えるねじり修正機構３８に替えて、図５および図６に示すような油圧ジャッキ４６を備えるねじれ修正機構３８を用いることも可能である。
【００３７】
この場合のねじれ修正機構３８は、その油圧ジャッキ４６がかご枠２１の横梁２６ａに取り付けられ、この油圧ジャッキ４６のプランジャ４９が立枠２５ａに連結され、前記プランジャ４９の進退動作で横梁２６ａと立枠２５ａとの間に所定の力を作用させることができるようになっている。
【００３８】
前記実施形態においては、この発明をダブルデッキ式のエレベータに適用したが、図７に示すようなシングルデッキ式のエレベータにおいても適用することが可能である。
【００３９】
この図７に示すエレベータは、左右に配置する立枠２７と、これら立枠の上部および下部に配置する横梁２６，２７とを有するかご枠２１を備え、その各立枠２７と横梁２６，２７との間にそれぞれねじれ修正機構３８が設けられている。
【００４０】
【発明の効果】
以上説明したようにこの発明によれば、熟練や高い技量を要することなく、容易に能率よくかご枠のねじれを修正することができる。
【図面の簡単な説明】
【図１】この発明の一実施形態を示す斜視図。
【図２】図１中の要部を拡大して示す正面図。
【図３】図２中の要部をさらに拡大して示す正面図。
【図４】この発明の一実施形態の作用を説明するための説明図。
【図５】ねじれ修正機構の変形例を示す正面図。
【図６】ねじれ修正機構の油圧ジャッキを示す側面図。
【図７】ねじれ修正機構をシングル式エレベータに設けた例を示す正面図。
【図８】ダブルデッキ式エレベータの構成を示す正面図。
【図９】ダブルデッキ式エレベータのかご枠のねじれについての説明図。
【符号の説明】
２０…かごユニット
２１…かご枠
２２…かご室
２４ａ，２４ｂ…立枠
２５ａ，２５ｂ…立枠
２６ａ，２６ｂ…横梁
２７ａ，２７ｂ…横梁
２８ａ，２８ｂ…横梁
３０，３１…プレート
３６…締結具
３８…ねじれ修正機構
４１…調整ボルト
【図１】
2004161421.tif 000003
【図２】
2004161421.tif 000004
【図３】
2004161421.tif 000005
【図４】
2004161421.tif 000006
【図５】
2004161421.tif 000007
【図６】
2004161421.tif 000008
【図７】
2004161421.tif 000009
【図８】
2004161421.tif 000010
【図９】
2004161421.tif 000011